(57)【要約】【課題】トンネル内の異常発生時において、新たな方向表示灯の取付けを必要とせずに、危険回避上安全な避難方向を示すことを目的とする。【解決手段】左、右方向の矢印および距離からなる指示部４ａ，４ｂと誘導マーク３を電光表示するようにしておき、火災などの異常が発生した場合には、安全的に有利な方向、例えば左側の指示部４ａと誘導マーク３を電光的に表示し、右側の指示部４ｂは消灯するようにした。したがって、異常発生時の退避誘導が一般の電光型標識を利用して簡単にできることとなる。【選択図】図１
2005211279.tif 000002
【特許請求の範囲】
【請求項１】
平常時はトンネル内の特定情報を表示する電光型の標識をこのトンネル内の適所に配置し、異常発生時には前記標識の表示内容を前記特定情報から危険回避のための避難誘導情報に電光的に切替えるようにしたトンネル内表示装置。
【請求項２】
トンネル内に所定間隔に異常発生検出部を設け、異常を検出した前記異常発生検出部の信号に基づいて各標識における避難誘導情報の表示を制御するようにした請求項１記載のトンネル内表示装置。
【請求項３】
異常発生検出部が火災検知器である請求項２記載のトンネル内表示装置。
【請求項４】
異常発生検出部が押ボタン式通報装置である請求項２記載のトンネル内表示装置。
【請求項５】
避難誘導情報が矢印で表される請求項１記載のトンネル内表示装置。
【請求項６】
トンネルの一方を示す矢印、その一方の出口までの距離を示す距離表示と、トンネルの他方を示す矢印、その他方の出口までの距離を示す距離表示とで平常時の特定情報とし、異常発生時には危険回避上安全ないずれか一方の矢印とそれに対応する距離表示とを電光的に表示させ、他の矢印とそれに対応する距離表示を停止させるようにした請求項１〜４記載のトンネル内表示装置。
【発明の詳細な説明】
【技術分野】
【０００１】
本発明は電光を用いたトンネル内表示装置に関するものである。
【背景技術】
【０００２】
従来、道路等のトンネル内には、トンネル内における事故や火災等の非常時の際に、迅速かつ安全に人や車両等をトンネルの出口あるいは非常口へ誘導するために避難誘導装置が所定間隔で設けられている。
【０００３】
避難誘導装置としては、火災検知器に相反する方向の方向表示灯および退避方向を音声で報知するスピーカなどを組込んだ単体のものとか、この避難誘導装置を消火栓と一体にしたものなどが見受けられる。
【０００４】
そして火災など非常の際は、方向表示灯が事故現場とは反対方向の表示のみを点灯あるいは点滅することにより、人や車両等に安全な避難方向を示すことができ、人や車両等が誤って火災現場あるいは事故現場の方向に避難してしまうことを防ぐものがある。
【０００５】
具体的なトンネル内避難誘導装置の動作としては、事故現場近くの火災検知器や押しボタン式通報装置から発信された信号をトンネル外部にある電気室内の防災受信盤で受信し、防災受信盤がその信号に基づきトンネル内の方向表示灯に避難すべき方向の信号を発信することで、方向表示灯に安全な避難方向のみを点灯あるいは点滅させている（例えば特許文献１参照）。
【特許文献１】特開平１０−１７９７７４号公報
【発明の開示】
【発明が解決しようとする課題】
【０００６】
しかしながら、上記従来のトンネル内避難誘導装置では、通常の標識とは別の配置が必要で、そのため、どうしてもコスト高となるもので、また据付などにも手間がかかっていた。さらに、通常の標識と混在することとなるので、場合によっては余計な混乱を発生する問題もあった。
【０００７】
本発明は、このような従来の課題を解決したもので、既存のトンネル内の電光型標識を電光的に切替えることによって避難誘導を行なうようにしたものである。
【課題を解決するための手段】
【０００８】
本発明は、上記目的を達成するために、既存のトンネル内の電光型標識に回路を付加し、トンネル内の電光型標識が、平常時は特定情報を表示し、異常発生時は避難誘導表情報を表示するように構成する。そのため、新たな方向表示灯の取付けを必要とせずに、既存のトンネル内の電光型標識に回路を付加することで、トンネル内の異常発生時において、危険回避上安全な避難方向を示すことができる。
【発明の効果】
【０００９】
本発明は、既存のトンネル内の電光型標識に回路を付加することで、異常発生検出部からの信号に基づいて、トンネル内の電光型標識が、平常時は特定情報を表示し、異常発生時は避難誘導表情報を表示するように構成するように制御することにより、トンネル内の異常発生時において、危険回避上安全な避難方向を示すことができる。
【００１０】
そのため、トンネル内の電光型標識に新たに方向表示灯を取付けることを必要とせず、トンネル内の異常発生時において、危険回避上安全な避難方向を示すことができる。
【発明を実施するための最良の形態】
【００１１】
平常時はトンネル内の特定情報を表示する電光型の標識をこのトンネル内の適所に配置し、異常発生時には前記標識の表示内容を前記特定情報から危険回避のための避難誘導情報に電光的に切替えるようにトンネル内表示装置を構成することで、新たな方向表示灯の取付けを必要とせずに、トンネル内の異常発生時において、危険回避上安全な避難方向を示すことができる。
【００１２】
また、トンネル内に所定間隔に異常発生検出部を設け、前記異常発生検出部の信号に基づいて各標識における誘導情報の表示を制御するようにすることで、自動的に異常発生場を特定することができ、迅速かつ安全な避難誘導をすることができる。
【００１３】
さらに、異常発生検出部を火災検知器、押ボタン式通報装置にすることにより、異常発生場所をきめ細かく検知することができる。
【００１４】
また、誘導情報を矢印で表すことにより、トンネル内にいる人及び車両に対し視覚的にわかりやすい避難誘導を提供することができる。
【００１５】
そして、トンネルの一方を示す矢印をその一方の出口までの距離を示す距離表示とトンネルの他方を示す矢印とその他方の出口までの距離を示す距離表示とで平常時の特定情報とし、維持用発生時には危険回避上安全ないずれか一方の矢印とそれに対応する距離表示とを電光的に表示させ、他の矢印とそれに対応する距離表示を停止させるようにすれば、既存のトンネル出口誘導表示灯を利用することができ、かつ、誘導情報に矢印を用いることが出来るため、簡単にトンネル内表示装置を作製することができる。
【実施例】
【００１６】
以下その実施例を添付図面を参照して説明する。
【００１７】
（実施例１）
図１において、トンネル内の電光型標識１は、例えばトンネル出口誘導表示用のもので、表示板２の中央部には、出口誘導マーク３があり、そのトンネル出口誘導マーク３を挟んで左側出口の方向と距離を示す左側指示部４ａ、右側出口の方向と距離を示す右側指示部４ｂが設けてある。
【００１８】
電光型標識１の本体内部は上記表示板２の出口誘導マーク３、左側指示部４ａ、右側指示部４ｂに対応して仕切板５によって３つの区画に仕切られている。そしてそれぞれの区画空間に照明装置６ａ〜ｃ、例えば、蛍光灯が備えられ、個別にトンネル出口誘導マーク３、左側指示部４ａ、右側指示部４ｂを照らす構造となっている。
【００１９】
このように電光型標識１をを構成すれば、照明装置６（左側照明装置６ａ、右側照明装置６ｂ、中央照明装置６ｃ）をそれぞれ個別に消灯させることができるため、通常時は普通のトンネル出口誘導表示灯として働き、非常時は避難誘導表示灯として働かせることができる。
【００２０】
そのため、新たな方向表示灯の取付けを必要とせずに、既存のトンネル内表示灯１に回路を付加することで、トンネル内の非常時において、人や車両等に事故現場とは反対の安全な避難方向を示すことができる。なお、トンネル内の電光型標識の表示器は、ＬＥＤや、液晶などであっても良い。
【００２１】
図２は回路図を示したものである。すなわち、トンネル内７の電光型標識１ａ〜１ｃの照明装置６の電源は、電気室８にある電源切替え器９により、平常時は商用電源１０から、停電時はバッテリー１１の直流電源をＤＣ／ＡＣインバータ１２により交流電源に変換された電源から供給されている。
【００２２】
また、回路には、トンネル内における火災または事故などの異常発生時には、異常発生検出部１３ａ〜１３ｃ（例えば火災検知器や押しボタン式通報装置）などのからの信号に基づいて作動するスイッチ１４ａ〜１４ｃと、これらスイッチ１４ａ〜１４ｃの作動によって流れる電流に基づいて電光型標識１ａ〜１ｃの照明装置６のスイッチ１５ａ〜１５ｅを制御する照明装置点灯制御リレー１６ａ〜１６ｅが設けられている。
【００２３】
さらに図２の回路を具体的に説明する。トンネル内７に所定の間隔で設けられている電光型標識１はトンネルの入り口に最も近いものから順番に、第１電光型標識１ａ、第２電光型標識１ｂ、第３電光型標識１ｃ・・・とし、第１電光型標識１ａと第２電光型標識１ｂの間を区間Ａ、第２電光型標識１ｂと第３電光型標識１ｃの間を区間Ｂ、以降同様にＣ，Ｄ，Ｅ・・・としている。
【００２４】
また、区間Ａ内には異常発生検出部１３ａが、区間Ｂ内には異常発生検出部１３ｂが、以下同様に区間Ｃには異常発生検出部１３ｃが、区間Ｄには異常発生検出部１３ｄ・・・がそれぞれ配置されている。
【００２５】
さらに、区間Ａの異常発生検出部１３ａの信号に基づいて作動するスイッチ１４ａ、区間Ｂの異常発生検出部１３ｂの信号に基づいて作動するスイッチスイッチ１４ｂ、以下同様に区間Ｃのスイッチ１４ｄ・・・が設けられている。
【００２６】
加えて、照明装置点灯制御リレー１６に対して、第１電光型標識１ａの右側照明装置６ｂのスイッチ１５ａを制御する照明装置点灯制御リレーを１６ａ、第２電光型標識１ｂの左側照明装置６ａのスイッチ１５ｂを制御する照明装置点灯制御リレーを１６ｂ、同様に、第２電光型標識１ｂの右側照明装置６ｂのスイッチ１５ｃを制御する照明装置点灯制御リレーを１６ｃ、第３電光型標識１ｃの左側照明装置６ａのスイッチ１５ｄを制御する照明装置点灯制御リレーを１６ｄ、以下同様にスイッチ１５ｅに対応して照明装置点灯制御リレー１６ｅ・・・とする。
【００２７】
例えば、区間Ａで異常が発生した場合、異常発生検出部１３ａで異常を検知し、この信号に基づいてスイッチ１４ａが入いる。すると、明装置点灯制御リレー１６ａ、照明装置点灯制御リレー１６ｂ、照明装置点灯制御リレー１６ｄ・・・に電流が流れることによって、それに対応してスイッチ１５ａ、スイッチ１５ｂ、スイッチ１５ｄ・・・が切れる。
【００２８】
そのため、第１電光型標識１ａの右側照明装置６ａと第２電光型標識１ｂの左側照明装置６ｂ、第３電光型標識１１ｃの左側照明装置６ｂ・・・が消灯することにより、第１トンネル出口誘導表示灯１ａの左側指示部４ａを照明する左側照明装置６ｂを点灯し続け、逆に、第２電光型標識１ｂ、第３電光型標識１ｃ、第４ト電光型標識１ｄ・・・の右側指示部４ｂを照明する右側照明装置６ｂが点灯し続ける。
【００２９】
その結果、事故発生場所より左側にいる人に対しては左側に誘導、右側にいる人には誘導することになる。
【００３０】
このように、既存のトンネル内７の電光型標識に回路を付加すると、平常時は特定情報を表示し、異常発生時は避難誘導表情報を表示するように構成できるため、新たな方向表示灯の取付けを必要とせずに、トンネル内７の異常発生時において危険回避上安全な避難方向を示すことができる。
【００３１】
（実施例２）
次に、本発明の実施例２について図３を参照しながら説明する。図３は図２に示す回路にフリッカー制御部１７を設けたものである。
【００３２】
このように回路にフリッカー制御部１７を設ければ、異常発生時において電光型の標識を点滅させることができる。その結果、トンネル内７にいる人及び車両に対し、避難方向を単に点灯し続けるのに比べ、避難方向が点滅するため、避難意識を高めることができ、より避難誘導表示が有効になる。
【００３３】
なお、上記した実施例においては照明装置として蛍光灯を使用したが、光源についての制約は特に受けないもので、要するに、指示部、誘導マークなどが電光で表示されればよく、また指示部、誘導マークなどを液晶で構成し、バックラアイトの点灯制御で実現することも可能である。
【００３４】
さらに、これら指示部、誘導マークを発光ダイオードで構成して、指示部、誘導マークそのものを発光制御するようにしても良い。
【００３５】
指示部、誘導マークが液晶あるいは発光ダイオードの場合は、その内容そのものを変更することも可能である。例えば、矢印の指示部および誘導マークを通常は緑色としておき異常が発生した場合は赤色若しくは視覚性の良いオレンジ色に変色させるとか、あるいは「出口」なる誘導マークを人間が走っている模様に変換し、しかも色調も同時に替えることも考えられる。また誘導マークは異常発生時に「出口」或いは「非常退避口」の、例えば近い方を選択的に表出するものでも良い。
【産業上の利用可能性】
【００３６】
以上のように、平常時はトンネル内の特定情報を表示する電光型の標識をこのトンネル内の適所に配置し、異常発生時には標識の表示内容を前記特定情報から危険回避のための避難誘導情報に電光的に切替えるようにトンネル内表示装置を構成することで、新たな方向表示灯の取付けを必要とせずに、トンネル内の異常発生時において、危険回避上安全な避難方向を示すことができることから、例えば建物内の非常灯などへの利用が可能である。
【図面の簡単な説明】
【００３７】
【図１】本発明の実施例１を示す電光型標識の分解正面図
【図２】同回路図
【図３】同実施例２を示す回路図
【符号の説明】
【００３８】
１，１ａ，１ｂ，１ｃ  電光型標識
４  指示部
１３  異常発生検出部
【図１】
2005211279.tif 000003
【図２】
2005211279.tif 000004
【図３】
2005211279.tif 000005